(57)【特許請求の範囲】
【請求項１】
液透過性の表面シート、液不透過性の裏面シート及び両シート間に介在された液保持性の吸収体を備えた本体部分と、該本体部分の両側縁部に設けられたファスニングテープとを具備し、該ファスニングテープが設けられた部位におけるウエスト開口縁部及び胴回り部に、それぞれ幅方向に亘ってウエスト部弾性部材及び複数の胴回り部弾性部材が配されており、長手方向の両側に一対のレッグ部弾性部材が配されている実質的に縦長の使い捨ておむつにおいて、
長手方向の両側に一対の立体ギャザーが形成されており、
前記胴回り部弾性部材は、少なくとも前記吸収体の両側縁の位置よりも幅方向外方の部位に弾性伸縮性が発現されるように伸張状態で固定されており且つ該吸収体の両側縁の位置よりも幅方向内方の部位における少なくとも中央部には配設されておらず、
前記胴回り部の幅方向の伸長応力が、前記ウエスト開口縁部の幅方向の伸長応力よりも大きく、
股下部を挟んで前記ファスニングテープが設けられた部位とは反対側に位置する部位における、ウエスト部弾性部材が配された部位と股下部との間の胴回り部には、幅方向に延びる弾性部材が配されていないことを特徴とする使い捨ておむつ。
【請求項２】
前記ファスニングテープは、ランディングゾーンに機械的に係合する止着部を有する請求項１記載の使い捨ておむつ。
【請求項３】
前記胴回り部弾性部材は、前記本体部分におけるシート間に固定されている請求項１又は２記載の使い捨ておむつ。
【請求項４】
一対の前記レッグ部弾性部材は、それぞれ、おむつ幅方向内方に向けて凸状に湾曲させて配設されており、前記胴回り部弾性部材は、該レッグ部弾性部材の前記ファスニングテープが設けられた部位側の端部の位置よりも幅方向内側に配されている請求項３記載の使い捨ておむつ。
【発明の詳細な説明】
【０００１】
【発明の属する技術分野】
本発明は、ファスニングテープが設けられた部位を、着用者の背側及び腹側の何れの側に向けても容易に装着することができ、何れの場合においても着用中にずり落ちや尿漏れが生じにくい使い捨ておむつに関する。
【０００２】
【従来の技術及び発明が解決しようとする課題】
従来、使い捨ておむつとしては、ファスニングテープを有する展開型の使い捨ておむつと、予めパンツ型に形成されたパンツ型の使い捨ておむつとが知られており、展開型の使い捨ておむつは、新生児から使用できること、製造コストが安いこと等から、最も一般的に用いられている。
しかし、展開型の使い捨ておむつは、赤ちゃんが静かに仰向けに寝ている場合には容易に装着できるが、活動が活発になって、その装着をいやがったりする場合、例えば、はいはいをして逃げ回ったりする場合には、その装着が容易ではない。
このような場合、ファスニングテープが設けられた背側部を、着用者の腹側に向けるようにして装着することが考えられるが、従来の展開型おむつにおいては、逆向きに装着すると、却って装着が困難であり、装着できたとしても、着用中に、おむつのずり落ちや尿漏れが生じるという問題があった。
【０００３】
例えば、特開平１−１６８９０２号公報には、ファスニングテープの基端部付近に弾性ひだを設けた展開型の使い捨ておむつが開示されており、特開平６−２８５１１３号公報、特開平６−６３０７７号公報及び特開平４−３５６６３号公報には、おむつの本体部分に弾性伸縮材を連設して形成した弾性伸縮部にファスニングテープを設けた展開型の使い捨ておむつが開示されており、更に、実開平４−７８１９号公報及び実開平４−５８２６号公報には、伸縮性を有するファスニングテープを有する使い捨ておむつが開示されているが、これらの公報に記載の使い捨ておむつは、何れも逆向きに装着すること自体が困難なものであり、特に、はいはいをして逃げ回ったりする場合に、その装着が容易ではない。
また、特開２０００−２６２５５７には、赤ちゃんが仰向けでもうつ伏せでも装着できるように、ァスニングテープを背側部と腹側部の両方に設けた使い捨ておむつが開示されている。しかし、この使い捨ておむつは、着用中に、おむつのずり落ちや尿漏れが生じる恐れがある。
更に、特表平９−５０７４０９号公報には、おむつ本体部分にエラストマー材料からなる耳部を連設し、該エラストマー耳部にファスナーを設けた使い捨ておむつが記載されている。しかし、この使い捨ておむつも、逆向きに装着しようとすると、却って装着が困難であり、装着できたとしても、着用中に、おむつのずり落ちや尿漏れが生じ易くなる。
【０００４】
従って、本発明の目的は、ファスニングテープが設けられた部位を、着用者の背側及び腹側の何れの側に向けても容易に装着することができ、何れの場合においても着用中にずり落ちや尿漏れが生じにくい使い捨ておむつを提供することにある。
【０００５】
【課題を解決するための手段】
本発明は、液透過性の表面シート、液不透過性の裏面シート及び両シート間に介在された液保持性の吸収体を備えた本体部分と、該本体部分の両側縁部に設けられたファスニングテープとを具備し、該ファスニングテープが設けられた部位におけるウエスト開口縁部及び胴回り部に、それぞれ幅方向に亘ってウエスト部弾性部材及び複数の胴回り部弾性部材が配されており、長手方向の両側に一対のレッグ部弾性部材が配されている実質的に縦長の使い捨ておむつにおいて、長手方向の両側に一対の立体ギャザーが形成されており、前記胴回り部弾性部材は、少なくとも前記吸収体の両側縁の位置よりも幅方向外方の部位に弾性伸縮性が発現されるように伸張状態で固定されており且つ該吸収体の両側縁の位置よりも幅方向内方の部位における少なくとも中央部には配設されておらず、前記胴回り部の幅方向の伸長応力が、前記ウエスト開口縁部の幅方向の伸長応力よりも大きく、股下部を挟んで前記ファスニングテープが設けられた部位とは反対側に位置する部位における、ウエスト部弾性部材が配された部位と股下部との間の胴回り部には、幅方向に延びる弾性部材が配されていないことを特徴とする使い捨ておむつを提供することにより、前記目的を達成したものである。
【０００６】
尚、本発明における胴回り部弾性部材は、ファスニングテープが設けられた部位における胴回り部に、おむつの幅方向に沿って配された弾性部材であって、少なくとも前記吸収体の両側縁の位置よりも幅方向外方の部位に弾性伸縮性が発現されるように伸張状態で固定されており且つ幅方向中央側の端部がおむつ幅方向の中央位置に達しないように配設されているものをいう。
【０００７】
【発明の実施の形態】
以下、本発明を、その好ましい一実施形態に基づいて詳細に説明する。
本発明の一実施形態としての使い捨ておむつ１は、図１及び図２に示すように、液透過性の表面シート２、液不透過性の裏面シート３、及び両シート間に介在された液保持性の吸収体４を備え、実質的に縦長に形成されており、長手方向の一端から他端に向かって順に、ファスニングテープ５，５が設けられた背側部Ａ、股下部Ｃ、及び腹側部Ｂを有する、展開型の使い捨ておむつである。
【０００８】
更に詳細に説明すると、本実施形態の使い捨ておむつ１は、股下部Ｃの両側縁Ｃ１，Ｃ１が円弧状に形成され、全体として、中央部が括れた砂時計状の形状を有している。
表面シート２は、吸収体４よりも外形寸法の大きい略矩形状の平面視形状を有しており、裏面シート３の幅方向の中央部に配されている。裏面シート３は、おむつの外形形状に一致する砂時計状の外形を有している。
表面シート２及び裏面シート３は、それぞれ、おむつの長手方向の両側部及び両端部において、吸収体４の両側縁４１，４１及び両端縁４２，４２よりも外方に延出しており、その延出部において互いに接合されている。裏面シート３の長手方向の両側部は、表面シート２の両側縁よりも幅方向の両外方に延出している。
【０００９】
本使い捨ておむつ１における長手方向の両側には、一対の立体ギャザー６，６が形成されている。各立体ギャザー６は、弾性部材６１を有する立体ギャザー形成用のシート材６２を、表面シート２の両側縁の外方から内方に亘るように配設して形成されている。各シート材６２は、吸収体４の両側縁４１に沿ってその近傍に形成された立体ギャザー６の固定端（図示せず）よりも幅方向の外側に位置する部分が表面シート２又は裏面シート３上に固定され、おむつの長手方向の両端部の近傍における前記固定端より幅方向内側に位置する部分が裏面シート３上に固定されている。立体ギャザー６には、その自由端６３と略平行に複数の弾性部材６１が配設されている。
【００１０】
本実施形態の使い捨ておむつ１においては、ファスニングテープ５が設けられた部位である背側部Ａにおけるウエスト開口縁部Ｄ及び胴回り部Ｅに、それぞれ幅方向に亘ってウエスト部弾性部材７及び複数の胴回り部弾性部材８，８が配されている。
【００１１】
ウエスト開口縁部Ｄは、ファスニングテープ５を、腹側部（股下部Ｃに対して、ファスニングテープ５が設けられた部位Ａとは反対側に位置する部位）Ｂの外面側に設けられたランディングゾーンＺに止着した際に形成されるウエスト開口部の周縁部を形成する部分であり、本実施形態のおむつ１においては、背側部Ａ及び腹側部Ｂそれぞれにおけるウエスト開口縁部Ｄに、ウエストギャザー形成用のウエスト部弾性部材７が、それぞれ、おむつの幅方向に亘って伸張状態で配設されている。尚、図示した形態の使い捨ておむつにおけるウエスト部弾性部材７は、それぞれ、５〜３０ｍｍ程度の幅の帯状の形態を有しており、ウエスト開口縁部Ｄにおける裏面シート３と表面シート２又は前記シート材６２との間に挟持固定されている。
【００１２】
背側部Ａにおける胴回り部Ｅは、図２に示すように、使い捨ておむつを、その各部の弾性部材を伸張させて平面状に拡げた状態（緊張状態）とし、その背側部Ａ側を上側、前記腹側部Ｂ側を下側と考えた場合に、ウエスト部弾性部材７が配された部位Ｄより下方に位置し且つ股下部（着用時に着用者の股間に配される部分で、左右両側縁が脚廻りに沿わせるように凹状に形成されている部分）Ｃより上方に位置する部分である。
本実施形態のおむつ１における複数の前記胴回り部弾性部材８，８は、それぞれ、おむつ１の幅方向に亘って略平行に所定間隔で配されている。
【００１３】
本使い捨ておむつ１における前記胴回り部弾性部材８，８は、少なくとも吸収体４の両側縁４１，４１の位置よりも幅方向外方の部位に弾性伸縮性が発現されるように伸張状態で固定されており且つ該吸収体４の両側縁４１，４１の位置よりも幅方向内方の部位における少なくとも中央部には配設されていない。
【００１４】
本実施形態における各胴回り部弾性部材８は、背側部Ａにおける幅方向の両端部（おむつ１における両側部）に配されており、各胴回り部弾性部材８における吸収体４の両側縁４１，４１の位置よりも幅方向外方に位置する部分は、伸張状態で、２枚の柔軟な固定用シート間に挟持固定された状態で配されており、２枚の該固定用シートは、裏面シート３と、表面シート２又は前記シート材６２との間に接着固定されている。
各胴回り部弾性部材８のおむつ幅方向内方側の端部は、吸収体４の両側縁４１の位置よりも幅方向内側に若干入る程度の位置にあり、吸収体４の幅方向中央部から左右両側縁４１，４１の近傍にかけての領域には、胴回り部弾性部材８が配されていない。
【００１５】
胴回り部弾性部材８が配されていない部分（弾性伸縮性を発現しない部分）の幅Ｗ（図２参照）は、背側部Ａを着用者の背側に向けて装着する場合及び／又は腹側に向けて装着する場合における装着容易性を向上させる観点並びに着用中における使い捨ておむつのずり落ちや尿漏れを防止する観点から、吸収体幅Ｗ１の１／２以上１以下であることが好ましく、また、背側部Ａの全幅Ｗ２の１／１０以上４／５以下であることが好ましい。
【００１６】
本使い捨ておむつ１における長手方向の両側には、一対のレッグギャザー形成用のレッグ部弾性部材９，９が、それぞれ、おむつ幅方向内方に向けて凸状に湾曲させて配されている。各レッグ部弾性部材９は、背側部Ａの両側縁部から腹側部Ｂの両側縁部に亘って伸張状態で配設されており、股下部Ｃにおいては、該股下部Ｃの両側縁に沿って円弧状に配されている。尚、本実施形態においては、長手方向の両側それぞれに、それぞれ複数本のレッグ部弾性部材が略平行に配されている。
【００１７】
本実施形態の使い捨ておむつにおいては、ファスニングテープが設けられた背側部Ａの胴回り部Ｅの幅方向の伸長応力が、該背側部のウエスト開口縁部Ｄの幅方向の伸長応力よりも大きい。
背側部Ａを着用者の背側に向けて装着する場合及び／又は腹側に向けて装着する場合における装着容易性を向上させる観点並びに着用中における使い捨ておむつのずり落ちや尿漏れを防止する観点から、ウエスト開口縁部Ｄの幅方向の伸長応力Ｐに対する胴回り部Ｅの幅方向の伸長応力Ｑの比（Ｑ／Ｐ）は２〜２０、特に２〜６であることが好ましい。また、同様の観点から、胴回り部Ｅの幅方向の伸長応力Ｑは１００〜１０００ｃＮ、特に２００〜６００ｃＮであることが好ましく、ウエスト開口縁部Ｄの幅方向の伸長応力Ｐは５０〜４００ｃＮ、特に１００〜２００ｃＮであることが好ましい。
【００１８】
ここで、ウエスト開口縁部Ｄの幅方向の伸長応力とは、おむつの長手方向におけるウエスト部弾性部材が配された部位を、おむつの幅方向に伸長させたときの応力を意味し、胴回り部Ｅの幅方向の伸長応力とは、おむつの長手方向における胴回り部弾性部材（上述したように、胴回り部Ｅのおむつ幅方向の両側にのみ存在する弾性部材を意味する。）が配された部位を、おむつの幅方向に伸長させたときの応力を意味する。
【００１９】
背側部Ａのウエスト開口縁部Ｄの幅方向の伸長応力及び背側部Ａの胴回り部Ｅの幅方向の伸長応力は、それぞれ以下のようにして測定される。
【００２０】
＜ウエスト開口縁部の幅方向の伸長応力＞
テンシロン引張試験機〔型番；ＲＴＡ−１００，（株）オリエンテック社製〕を用いて測定する。初期チャック間距離を、背側部Ａの幅方向の自然長（弾性部材を伸長させない自然状態における長さ）から５０ｍｍを減じた長さとし、背側部Ａの左右両側縁部における、ウエスト部弾性部材が配された部位の左右両側（図２の左右両側）に位置する部分（図３参照，おむつの長手方向に沿う方向の長さＬ１が２．５ｃｍの部分）Ｄ１を、それぞれチャックに挟み、次いで、クロスヘッド移動速度３００ｍｍ／ｍｉｎの条件で、サンプルを９０ｍｍ以上、幅方向（図２の左右方向）に伸長させ、９０ｍｍの伸長時の荷重から伸長前の荷重を差し引いた荷重を、背側部Ａのウエスト開口縁部Ｄの幅方向の伸長応力とする。尚、長さＬ１と、ウエスト部弾性部材の幅（複数本配されている場合は、その複数本が分散している領域の幅）Ｗ４とが異なる場合には、両者の中心線（おむつの幅方向に延びる中心線）を一致させて測定する。
【００２１】
＜胴回り部の幅方向の伸長応力＞
背側部Ａの左右両側縁部における、胴回り部弾性部材が配されている部位の左右両側（図２の左右両側）に位置する部分（図３参照，おむつの長手方向に沿う方向の長さＬ２が５ｃｍの部分）Ｅ１を、それぞれチャックに挟む以外は、ウエスト開口縁部Ｄの伸長応力の測定と同様にして測定する。
【００２２】
＜他の測定方法＞
ウエスト開口縁部及び胴回り部それぞれの幅方向の伸長応力は、上述した方法（以下、第１方法という）に代えて、以下の第２方法により測定しても良い。
第２方法においては、チャックに挟む長さＬ１を、ウエスト部弾性部材７の幅（複数本配されている場合は、その複数本が分散している領域の幅）Ｗ４と同じ長さとする以外は、第１方法と同様にしてウエスト開口縁部Ｄの伸長応力を測定し、また、チャックに挟む長さＬ２を、胴回り部弾性部材８が分散している領域の幅Ｗ５と同じ長さとする以外は、第１方法と同様にして、胴回り部Ｅの伸長応力を測定する。
【００２３】
本実施形態の使い捨ておむつによれば、上述した構成を有するため、ファスニングテープが設けられた背側部Ａを、着用者の背側及び腹側の何れの側に向けても容易に装着することができ、何れの場合においても着用中におむつのずり落ちが生じにくい。
そのため、仰向けで寝ている状態は勿論のこと、うつぶせで寝ている状態、立ち上がってこちら側を向いている状態、立ち上がって向こう側を向いている状態等においても容易に装着することができ、更に、図４に示すように、はいはいをして逃げ回る赤ちゃんなどに対しても装着が容易である。
【００２４】
また、本実施形態の使い捨ておむつによれば、胴回り部Ｅに配設された胴回り部弾性部材８が、吸収体４の両側縁４１，４１の位置よりも幅方向外方の部位に弾性伸縮性が発現されるように伸張状態で固定されており且つ該吸収体の両側縁４１，４１の位置よりも幅方向内方の部位における少なくとも中央部には配設されていないため、吸収体４にシワが寄りにくく尿の表面液流れを防止でき、また、吸収体４の有効幅が着用中においても維持され、吸収体の吸収性能を充分に発揮させることができる。そのため、吸収性能を維持しながら、使用材料量や製造コストの削減、おむつのコンパクト化等を図ることも可能である。また、吸収体がひだ寄せされにくいため、背側部を背側及び腹側の何れに向けて装着した場合においても、すっきりした外観が得られる。
【００２５】
また、本実施形態の使い捨ておむつ１における胴回り部弾性部材８は、表面シート２、裏面シート３及び吸収体４を備えた本体部分１０におけるシート間に一体的に固定されている。より詳細には、本体部分１０を構成する裏面シート３と立体ギャザー形成用のシート材６２又は表面シート２との間に固定されている。これにより、本体部分１０に弾性伸縮性を付与することができると共に、本体部分に別体の弾性伸縮材を連結した構成を有するもの（例えば特表平９−５０７４０９や特開平６−６３０７７に記載のもの）とは異なり、はいはいで逃げる子供に対して急いで止着するためにファスニングテープを強く引っ張っても、弾性伸縮材が破損する恐れがない。
【００２６】
また、本実施形態の使い捨ておむつ１における一対の前記レッグ部弾性部材９，９は、それぞれ、おむつ幅方向内方に向かって凸状（外方に向かって凹状）に湾曲させて配設されているため、着用中におけるおむつのずり落ちが一層防止される。また、立位、寝位いずれの場合においても、足ぐりにギャザーが沿うため装着しやすい。特に、胴回り部弾性部材は８が、図２に示すように、レッグ部弾性部材９の背側部Ａ側の端部９１の位置よりも幅方向内側に配されてため、おむつ装着の際に、胴回り部Ｅとレッグ部弾性部材９が配されている部位とが一緒に伸長するので、脚をばたつかせて逃げる子供などにも、レッグ部弾性部材９が配された部位を、着用者に優しく、しかも着用者の適正な部位に容易にフィットさせることができる。これに対して、レッグ部弾性部材の端部の位置よりも幅方向の外側にしか弾性伸縮材が配されていない場合（例えば特表平９−５０７４０９や特開平６−６３０７７に記載のもの）には、おむつ装着の際にレッグ部弾性部材が引っ張られないので、レッグ部弾性部材９が配された部位が、着用者の適正な部位にフィットせず、例えば大腿部を過度に圧迫する恐れがある。
【００２７】
本実施形態の使い捨ておむつ１における各部の形成材料について説明する。
表面シート２、裏面シート３、吸収体４、立体ギャザー形成用の弾性部材６１及びシート材６２、ランディングゾーンＺ形成用のランディングテープ等の形成材料としては、従来、使い捨ておむつに用いられている各種公知の材料を特に制限なく用いることができる。
【００２８】
また、ファスニングテープ５は、機械的面ファスナーのオス部材からなる止着部５１を有するものでも、粘着剤を塗布して形成した粘着部５１を有するものでも良い。但し、粘着部の場合には、逃げる子供などに対して、おむつを逆向きに装着（背側装着）する際に、親や介護者等の手に粘着部が着くことによって装着不可能ないし著しく困難になる場合があるが、機械的面ファスナーのオス部材からなる止着部のように、ランディングゾーンに機械的に係合する止着部を有するものは、そのような心配がないので好ましい。その場合、裏面シート３の外表面側を不織布等の係合性に富む素材により形成し、該不織布等の一部を、ランディングゾーンＺとして利用しても良い。
【００２９】
ウエスト部弾性部材７、胴回り部弾性部材８及びレッグ部弾性部材９としては、それぞれ各種公知の弾性部材を用いることができ、例えば、各弾性部材の形態としては、糸状のもの（糸ゴム等）、所定幅の帯状のもの（平ゴム等）、薄膜状のもの等を挙げることができ、弾性部材の形成素材としては、天然ゴムの他、スチレン−ブタジエン、ブタジエン、イソプレン、ネオプレン等の合成ゴム、ＥＶＡ、伸縮性ポリオレフィン、ウレタン等を挙げることができる。
尚、ウエスト部弾性部材７は、所定幅の帯状のものが好ましく、胴回り部弾性部材８は、糸状のものが好ましく、レッグ部弾性部材９は、平ゴム状のものが好ましい。また、糸状の胴回り部弾性部材８は、例えば、背側部Ａの左右両側にそれぞれ３〜１２本程度配設することが好ましい。
【００３０】
以上、本発明の好ましい一実施形態について説明したが、本発明は、上述した実施形態に制限されず、本発明の趣旨を逸脱しない範囲で種々変更が可能である。
例えば、レッグ部弾性部材は、おむつの長手方向の両側に、それぞれ直線状に配しても良く、また、本数は、左右に各１本であっても良い。
また、ファスニングテープが設けられた部位は、着用時に股間部に配される股下部を挟んでその両側に位置する二つの部位（腹側部及び背側部）の内のファスニングテープが設けられている方の部位を意味し、着用時に、着用者の背側及び腹側の何れに位置するかということとは無関係である。ファスニングテープを腹側部Ｂに設けた場合には、その腹側部Ｂにおける胴回り部（幅方向の両側に胴回り部弾性部材が配されている部位）の幅方向の伸長応力と、ウエスト開口縁部の幅方向の伸長応力とを測定する。
本発明の使い捨ておむつは、成人用の使い捨ておむつであっても良いが、幼児（ベビー）用の使い捨ておむつ、特におむつ換えを嫌がる幼児に適している。
【００３１】
【実施例】
＜実施例１＞
図１及び図２に示す形態を有し、背側部Ａのウエスト開口縁部Ｄの幅方向の伸長応力が１５０ｃＮであり、胴回り部Ｅの幅方向の伸長応力が３００ｃＮである使い捨ておむつを製造した。尚、背側部Ａの胴回り部Ｅは、配設幅（Ｗ５）を５０ｍｍとして左右にそれぞれ９本の糸状の弾性部材を配し、ウエスト開口縁部Ｄには、幅（Ｗ４）２０ｍｍの帯状ウレタン弾性部材を配置した。
【００３２】
＜実施例２＞
長手方向両側のレッグ部弾性部材を直線状に配した以外は、実施例１と同様に使い捨ておむつを製造した。背側部Ａのウエスト開口縁部Ｄの幅方向の伸長応力は１５０ｃＮ、胴回り部Ｅの幅方向の伸長応力は３００ｃＮであった。
【００３３】
＜比較例１＞
背側部Ａの胴回り部Ｅは、配設幅（Ｗ５）を７５ｍｍとして左右にそれぞれ２本の糸状の弾性部材を配した以外は、実施例１と同様にして使い捨ておむつを製造した。この使い捨ておむつは、背側部Ａのウエスト開口縁部Ｄ及び胴回り部Ｅの幅方向の伸長応力が、順に１５０ｃＮ、１００ｃＮであった。
【００３４】
＜比較例２＞
実施例１における胴回り弾性部材に代えて、薄片状のウレタン弾性部材（５ｃｍ×５ｃｍの正方形状）を背側部Ａの左右に非伸長状態で配する以外は、実施例１と同様にして使い捨ておむつを得た。この使い捨ておむつは、背側部Ａのウエスト開口縁部Ｄ及び胴回り部Ｅの幅方向の伸長応力が、順に１００ｃＮ、０ｃＮであった。尚、胴回り部Ｅは、ウレタン弾性部材が非伸張状態で配設されているため、９０ｍｍ伸長しなかった（市販品同等物）。レッグ部弾性部材は、やや湾曲させて配した。
＜比較例３＞
実施例１において、胴回り弾性部材を配設しない以外は、実施例１と同様にして使い捨ておむつを得た。この使い捨ておむつは、背側部Ａのウエスト開口縁部Ｄ及び胴回り部Ｅの幅方向の伸長応力が、順に１５０ｃＮ、０ｃＮであった。
尚、比較例１では、上述した第２方法により伸長応力を測定し、実施例１，２及び比較例２，３では、上述した第１方法により伸長応力を測定した。
【００３５】
＜ずり落ちの評価＞
実施例及び比較例の各使い捨ておむつを、幼児腰部モデル（立位で両脚を前後させる歩行運動及び股間部からの人工尿の注入が可能であり、形態的に幼児の腰部を模してあるモデル）に装着し、１５０歩／分の歩行速度で５分間歩行運動をさせた（立位）。その後、歩行運動を停止し、チューブを介して、おむつに５ｇ／分の速度で４０ｇの人工尿を注入した。その後、同様に５分間の歩行運動と４０ｇの人工尿の注入とを交互に繰り返し、計２５分間の歩行運動と計１６０ｇの人工尿の注入とを行った。
【００３６】
これら一連の操作を、各使い捨ておむつについて、ファスニングテープをモデルの腹側においてランディングゾーンに止着する装着方法で装着した場合（腹側装着）と、ファスニングテープをモデルの背側においてランディングゾーンに止着する装着方法で装着した場合（背側装着）との両方の場合について行い、何れの場合も、５分間の歩行運動が終わる毎に、おむつのずり落ち量を測定した。結果を、表１に示す。
【００３７】
【表１】
0003805236.tif 000002
【００３８】
＜漏れ難さの評価（動的前漏れ値の測定）＞
実施例１及び比較例１〜３の各使い捨ておむつを、上記の幼児腰部モデルに装着し、１５０歩／分の歩行速度で５分間歩行運動させた（立位）。その後、歩行運動を停止し、チューブを介して、おむつに５ｇ／分の速度で８０ｇの人工尿を注入した。その後、５分間歩行運動を行わせた後、おむつのずり落ち量を測定した。そして、続いて前モレ評価を行った。即ち、ずり落ちた状態のままモデルをうつ伏せにし、５ｇ／分の速度で４０ｇの人工尿の注入し、４０ｇの注入が終了した時点で漏れが生じていないかを目視にてチェックした。漏れが生じていないものについては、更に４０ｇの人工尿の注入を行い、このような操作を漏れが生じるまで繰り返した。
【００３９】
これら一連の操作を、実施例１の使い捨ておむつについては、腹側装着と背側装着との両方の場合について行い、比較例１〜３の使い捨ておむつについては、腹側装着の場合（通常の使用態様）のみについて行った。
そして、尿の漏れが観察された時点における人工尿の合計注入量を動的前漏れ値とし、その測定結果を表２に示した。
【００４０】
【表２】
0003805236.tif 000003
【００４１】
＜装着し易さ評価（モニターテスト）＞
実施例１及び比較例２の使い捨ておむつを、２８人のモニターに２０枚づつ配布し、被装着者の姿勢又はおむつ装着の向きを代えた複数の装着方法で実際に使用してもらった。
各装着方法での装着のし易さ及び総合的な装着のし易さを、それぞれ、実施例の方が良い、比較例の方が良い、両者に差を感じられないの３択形式で評価してもらい、実施例の方が良いとした回答及び比較例の方が良いとした回答の数をそれぞれ全回答数で除して百分率で表したものを実施例及び比較例の支持率として、表３に示した。
【００４２】
【表３】
0003805236.tif 000004
【００４３】
表１〜３に示す結果から、本発明の使い捨ておむつは、様々な姿勢の被装着者に容易に装着することができ、ファスニングテープが設けられた部位を、背側及び腹側の何れの側に向けて装着した場合であっても、おむつのずり落ちや尿漏れが生じにくいことが判る。
【００４４】
【発明の効果】
本発明の使い捨ておむつは、様々な姿勢の被装着者に容易に装着することができ、ファスニングテープが設けられた部位を、着用者の背側及び腹側の何れの側に向けて（位置させて）装着した場合であっても、着用中にずり落ちや尿漏れが生じにくい。
【図面の簡単な説明】
【図１】図１は、本発明の一実施形態としての使い捨ておむつを示す斜視図である。
【図２】図２は、図１の使い捨ておむつを、各部の弾性部材を伸長させ平面状に拡げた状態（緊張状態）を示す平面図（一部破断図）である。
【図３】図３は、背側部のウエスト開口縁部及び胴回り部の幅方向の伸長応力の測定方法を説明するための説明図である。
【図４】図４は、図１の使い捨ておむつを、ファスニングテープが設けられた背側部を、腹側に向けて装着（背側装着）する様子を示す斜視図である。
【符号の説明】
１    使い捨ておむつ
２    表面シート
３    裏面シート
４    吸収体
５    ファスニングテープ
６    立体ギャザー
７    ウエスト部弾性部材
８    胴回り部弾性部材
９    レッグ部弾性部材
Ａ    背側部（ファスニングテープが設けられた部位）
Ｂ    腹側部
Ｃ    股下部
【図１】
0003805236.tif 000005
【図２】
0003805236.tif 000006
【図３】
0003805236.tif 000007
【図４】
0003805236.tif 000008